(57)【要約】【課題】小規模な商業施設の売上金を現金センタなどに輸送する場合に、人手を介在する際に生ずるミスや不正を効率良く抑制することを課題とする。【解決手段】ＰＯＳレジスタ３００の担当者によるＰＯＳレジスタ３００からの回収指示操作に基づいて、硬貨釣銭機１００から硬貨を繰り出して回収ユニット４００の着脱可能な硬貨回収カセット４０３に収納し、紙幣釣銭機２００から紙幣を繰り出して回収ユニット４００の着脱可能な紙幣回収カセット４１３に収納し、現金センタへの運搬担当者によるカセット取出指示操作に基づいて、硬貨回収カセット４０３及び紙幣回収カセット４１３の電磁ロックを解除することにより取出可能とするようにした。【選択図】図１
2016162246.tif 000002
【特許請求の範囲】
【請求項１】
商業施設に配設された決済端末装置に付設され、受け付けた貨幣を第１の収納部に収納し、貨幣の払い出しの指示を受け付けると前記第１の収納部から貨幣を払い出す貨幣処理装置であって、
前記第１の収納部に所在する貨幣のうち、回収対象となる貨幣の数量を示す回収指示を受け付ける受付処理部と、
前記受付処理部により回収指示を受け付けたことを条件として、前記第１の収納部から貨幣を送り出して、着脱可能な第２の収納部に収納するよう制御する収納制御部と、
前記収納制御部により前記第１の収納部から送り出され、前記第２の収納部に収納された貨幣を特定する情報である出力情報を出力する出力処理部と
を備えたことを特徴とする貨幣処理装置。
【請求項２】
前記出力処理部は、
前記収納制御部により前記第１の収納部から送り出した貨幣を前記第２の収納部に収納したタイミング及び／又は前記第２の収納部を装置から取り出すタイミングで前記出力情報を出力する
ことを特徴とする請求項１に記載の貨幣処理装置。
【請求項３】
前記出力処理部により前記出力情報が出力済みであることを条件として前記第２の収納部を取り外すことができる状態にする取り外し処理部
をさらに備えたことを特徴とする請求項１又は２に記載の貨幣処理装置。
【請求項４】
前記出力処理部は、
前記出力情報の他の装置への送信、該出力情報の記憶媒体への書き込み又は該出力情報の紙媒体への印刷のうち少なくともいずれか一つを行う
ことを特徴とする請求項１〜３のいずれか一つに記載の貨幣処理装置。
【請求項５】
操作者の識別情報を受け付ける識別情報受付手段と、
前記識別情報受付手段により受け付ける操作者の識別情報ごとに、前記第１の収納部の貨幣を扱う権限である第１の権限があるか否か及び前記第２の収納部を取り外す権限である第２の権限があるか否かを管理する権限管理部と、
前記識別情報受付手段で受け付けた前記操作者の識別情報が、前記権限管理部により前記第１の権限があると管理されている場合に限り、前記第１の収納部からの貨幣の払い出しを行う払出処理部と
をさらに備え、
前記取り外し処理部は、前記識別情報受付手段で受け付けた前記操作者の識別情報が、前記権限管理部により前記第２の権限があると管理されている場合に限り、前記第２の収納部を取り外すことができる状態にすることができる
ことを特徴とする請求項３に記載の貨幣処理装置。
【請求項６】
商業施設に配設された商品の決済処理を行う決済端末装置と、決済処理に伴って受け付けた貨幣を第１の収納部に収納し、貨幣の払い出しの指示を受け付けると前記第１の収納部から貨幣を払い出す貨幣処理装置とを含む貨幣処理システムであって、
前記第１の収納部に所在する貨幣のうち、回収対象となる貨幣の数量を示す回収指示を受け付ける受付処理部と、
前記受付処理部により回収指示を受け付けたことを条件として、前記第１の収納部から貨幣を送り出して、着脱可能な第２の収納部に収納するよう制御する収納制御部と、
前記収納制御部により前記第１の収納部から送り出され、前記第２の収納部に収納された貨幣を特定する情報である出力情報を出力する出力処理部と
を備えたことを特徴とする貨幣処理システム。
【請求項７】
商業施設に配設された決済端末装置に付設された貨幣処理装置における、受け付けた貨幣を第１の収納部に収納し、貨幣の払い出しの指示を受け付けると前記第１の収納部から貨幣を払い出す貨幣処理方法であって、
前記第１の収納部に所在する貨幣のうち、回収対象となる貨幣の数量を示す回収指示を受け付ける受付処理ステップと、
前記受付処理ステップにより回収指示を受け付けたことを条件として、前記第１の収納部から貨幣を送り出して、着脱可能な第２の収納部に収納するよう制御する収納制御ステップと、
前記収納制御ステップにより前記第１の収納部から送り出され、前記第２の収納部に収納された貨幣を特定する情報である出力情報を出力する出力処理ステップと
を含んだことを特徴とする貨幣処理方法。
【発明の詳細な説明】
【技術分野】
【０００１】
この発明は、コンビニ及び飲食店などの小規模な商業施設において、顧客から受け渡された貨幣を収納するとともに、必要に応じて釣銭の払い出しを行う貨幣処理装置、貨幣処理システム及び貨幣処理方法に関する。
【背景技術】
【０００２】
従来、スーパーマーケット及び百貨店等の商業施設のレジには、ＰＯＳ（Point of sale）端末が設置されており、商業施設の担当者は、このＰＯＳ端末を操作して顧客が購入する商品の決済処理を行う。かかるＰＯＳ端末には、貨幣の収納及び払い出しを行う釣銭機が接続されており、担当者が顧客から受け渡された貨幣は上記の釣銭機に収納され、顧客に対して釣銭を受け渡す必要がある場合には、この釣銭機から釣銭としての貨幣が払い出されることになる。
【０００３】
このような商業施設では、閉店後に商業施設内の釣銭機から売上に相当する貨幣を回収して、回収した貨幣の精査業務を現金センタ等に業務委託していることが多い。このため、スーパーマーケット及び百貨店等の大型の商業施設では、釣銭機から回収された貨幣を集約するための貨幣処理装置がバックオフィスに設置されていることが多い。
【０００４】
例えば、特許文献１には、釣銭機から回収した貨幣の投入を受け付けたならば、装置本体に着脱可能に設けられた金庫に貨幣を収納し、全ての釣銭機から貨幣を回収して金庫へ収納したならば、貨幣が収納された金庫を取り出すことができる現金管理装置が開示されている。
【先行技術文献】
【特許文献】
【０００５】
【特許文献１】特許第４６７７７７６号
【発明の概要】
【発明が解決しようとする課題】
【０００６】
しかしながら、コンビニや飲食店などのような小規模な商業施設では、ＰＯＳ端末の設置台数（すなわち、釣銭機の設置台数）が少なく、費用対効果の面から上記特許文献１の現金管理装置が導入されないのが実情である。また、このような小規模な商業施設では、多くの場合、上記特許文献１に記載されたような現金管理装置の設置スペースが確保できないという問題もある。
【０００７】
このため、この種の小規模な商業施設では、現金センタ等に売上金を輸送する場合に、釣銭機から売上金額に相当する貨幣を回収し、回収した貨幣を施錠可能な現金バッグなどに入れて輸送するのが一般的である。ところが、かかる現金バッグを用いる場合には、釣銭機から回収した貨幣を現金バッグに入れるという手作業が発生し、この手作業の部分において、誤り（計数ミス、こぼれ等）が発生するという問題や、担当者による不正が行われる可能性があるという問題がある。
【０００８】
これらのことから、小規模な商業施設の売上金を現金センタなどに輸送する場合に、いかにして人手を介在する際に生ずるミスや不正を効率良く抑制するかが重要な課題となっている。
【０００９】
本発明は、上述した従来技術の課題を解決するためのものであって、小規模な商業施設の売上金を現金センタなどに輸送する場合に、人手を介在する際に生ずるミスや不正を効率良く抑制することができる貨幣処理装置、貨幣処理システム及び貨幣処理方法を提供することを目的とする。
【課題を解決するための手段】
【００１０】
上述した課題を解決し、目的を達成するため、本発明は、商業施設に配設された決済端末装置に付設され、受け付けた貨幣を第１の収納部に収納し、貨幣の払い出しの指示を受け付けると前記第１の収納部から貨幣を払い出す貨幣処理装置であって、前記第１の収納部に所在する貨幣のうち、回収対象となる貨幣の数量を示す回収指示を受け付ける受付処理部と、前記受付処理部により回収指示を受け付けたことを条件として、前記第１の収納部から貨幣を送り出して、着脱可能な第２の収納部に収納するよう制御する収納制御部と、前記収納制御部により前記第１の収納部から送り出され、前記第２の収納部に収納された貨幣を特定する情報である出力情報を出力する出力処理部とを備えたことを特徴とする。
【００１１】
また、本発明は、上記発明において、前記出力処理部は、前記収納制御部により前記第１の収納部から送り出した貨幣を前記第２の収納部に収納したタイミング及び／又は前記第２の収納部を装置から取り出すタイミングで前記出力情報を出力することを特徴とする。
【００１２】
また、本発明は、上記発明において、前記出力処理部により前記出力情報が出力済みであることを条件として前記第２の収納部を取り外すことができる状態にする取り外し処理部をさらに備えたことを特徴とする。
【００１３】
また、本発明は、上記発明において、前記出力処理部は、前記出力情報の他の装置への送信、該出力情報の記憶媒体への書き込み又は該出力情報の紙媒体への印刷のうち少なくともいずれか一つを行うことを特徴とする。
【００１４】
また、本発明は、上記発明において、操作者の識別情報を受け付ける識別情報受付手段と、前記識別情報受付手段により受け付ける操作者の識別情報ごとに、前記第１の収納部の貨幣を扱う権限である第１の権限があるか否か及び前記第２の収納部を取り外す権限である第２の権限があるか否かを管理する権限管理部と、前記識別情報受付手段で受け付けた前記操作者の識別情報が、前記権限管理部により前記第１の権限があると管理されている場合に限り、前記第１の収納部からの貨幣の払い出しを行う払出処理部とをさらに備え、前記取り外し処理部は、前記識別情報受付手段で受け付けた前記操作者の識別情報が、前記権限管理部により前記第２の権限があると管理されている場合に限り、前記第２の収納部を取り外すことができる状態にすることができることを特徴とする。
【００１５】
また、本発明は、商業施設に配設された商品の決済処理を行う決済端末装置と、決済処理に伴って受け付けた貨幣を第１の収納部に収納し、貨幣の払い出しの指示を受け付けると前記第１の収納部から貨幣を払い出す貨幣処理装置とを含む貨幣処理システムであって、前記第１の収納部に所在する貨幣のうち、回収対象となる貨幣の数量を示す回収指示を受け付ける受付処理部と、前記受付処理部により回収指示を受け付けたことを条件として、前記第１の収納部から貨幣を送り出して、着脱可能な第２の収納部に収納するよう制御する収納制御部と、前記収納制御部により前記第１の収納部から送り出され、前記第２の収納部に収納された貨幣を特定する情報である出力情報を出力する出力処理部とを備えたことを特徴とする。
【００１６】
また、本発明は、商業施設に配設された決済端末装置に付設された貨幣処理装置における、受け付けた貨幣を第１の収納部に収納し、貨幣の払い出しの指示を受け付けると前記第１の収納部から貨幣を払い出す貨幣処理方法であって、前記第１の収納部に所在する貨幣のうち、回収対象となる貨幣の数量を示す回収指示を受け付ける受付処理ステップと、前記受付処理ステップにより回収指示を受け付けたことを条件として、前記第１の収納部から貨幣を送り出して、着脱可能な第２の収納部に収納するよう制御する収納制御ステップと、前記収納制御ステップにより前記第１の収納部から送り出され、前記第２の収納部に収納された貨幣を特定する情報である出力情報を出力する出力処理ステップとを含んだことを特徴とする。
【発明の効果】
【００１７】
本発明によれば、商業施設に配設された決済端末装置に付設された貨幣処理装置において、受け付けた貨幣を収納する第１の収納部に所在する貨幣のうち、回収対象となる貨幣の数量を示す回収指示を受け付け、回収指示を受け付けたことを条件として、第１の収納部から貨幣を送り出して、着脱可能な第２の収納部に収納するよう制御し、第１の収納部から送り出され、貨幣が第２の収納部に収納された貨幣を特定する情報である出力情報を出力するよう構成したので、小規模な商業施設の売上金を現金センタなどに輸送する場合に、人手を介在する際に生ずるミスや不正を効率良く抑制することができる。
【図面の簡単な説明】
【００１８】
【図１】図１は、本実施例に係るＰＯＳレジスタに接続される硬貨釣銭機及び紙幣釣銭機から硬貨及び紙幣を回収して、回収した硬貨及び紙幣を現金センタに持ち出す処理に係るシステムの概要を示す図である。
【図２】図２は、本実施例に係る貨幣処理システムのシステム構成を示す図である。
【図３】図３は、本実施例に係るＰＯＳレジスタ、硬貨釣銭機、紙幣釣銭機及び回収ユニットの外観構成を示す図である。
【図４】図４は、図２に示したＰＯＳレジスタ、硬貨釣銭機、紙幣釣銭機及び回収ユニットの本実施例に係る装置内部の物理構成を示す図である。
【図５】図５は、図２に示した硬貨釣銭機、紙幣釣銭機及び回収ユニットの本実施例に係る機能的な内部構成を示すブロック図である。
【図６】図６は、図２に示したＰＯＳレジスタの本実施例に係る機能的な内部構成を示すブロック図である。
【図７】図７は、図５に示した硬貨釣銭機、紙幣釣銭機及び回収ユニットの本実施例に係るデータ構成について説明するための説明図である。
【図８】図８は、図６に示したＰＯＳレジスタの本実施例に係るデータ構成について説明するための説明図である。
【図９】図９は、図２に示したＰＯＳレジスタで回収指示操作が行われた場合に、硬貨釣銭機及び紙幣釣銭機から硬貨及び紙幣を回収ユニットに回収する処理の処理シーケンスを示すシーケンス図である。
【図１０】図１０は、図１に示した回収ユニットから硬貨回収カセット及び紙幣回収カセットを取り出す処理の処理手順を示すフローチャートである。
【発明を実施するための形態】
【００１９】
以下に、添付図面を参照して、本発明に係る貨幣処理装置、貨幣処理システム及び貨幣処理方法の好適な実施例を詳細に説明する。
【実施例】
【００２０】
まず、本実施例に係るＰＯＳレジスタ３００に接続される硬貨釣銭機１００及び紙幣釣銭機２００から硬貨及び紙幣を回収して、回収した硬貨及び紙幣を現金センタに持ち出す処理に係るシステムの概要について図１を用いて説明する。図１に示すのは、ＰＯＳレジスタ３００が１台だけ設置されているような小規模な店舗を例として、本発明に係る硬貨釣銭機１００、紙幣釣銭機２００及び回収ユニット４００を導入した場合の閉店後等に行われる売上金の現金センタへの持ち出しに係る処理の概要を説明したものである。
【００２１】
まず、店舗側のシステム構成について説明する。店舗のＰＯＳレジスタ３００には、決済処理に伴う硬貨及び紙幣の入出金を行う硬貨釣銭機１００及び紙幣釣銭機２００が接続される。また、硬貨釣銭機１００及び紙幣釣銭機２００は、回収ユニット４００と接続される。回収ユニット４００は、回収する硬貨を収納する着脱可能な硬貨回収カセット４０３と、回収する紙幣を収納する着脱可能な紙幣回収カセット４１３とを備えている。
【００２２】
硬貨釣銭機１００は、図示しない内部の硬貨収納部１０６を有しており、ＰＯＳレジスタ３００から硬貨回収の指示を受け付けると、硬貨収納部１０６から指示された金種別枚数の硬貨を繰り出して回収ユニット４００に引き渡す。回収ユニット４００は、硬貨釣銭機１００から硬貨を受け渡されると、受け渡された硬貨を硬貨回収カセット４０３に収納する。同様に、紙幣釣銭機２００は、ＰＯＳレジスタ３００から紙幣回収の指示を受け付けると、図示しない内部の紙幣収納部２０６から指示された金種別枚数の紙幣を繰り出して回収ユニット４００に引き渡す。回収ユニット４００は、紙幣釣銭機２００から紙幣を受け渡されると、受け渡された紙幣を紙幣回収カセット４１３に収納する。
【００２３】
このようなＰＯＳレジスタ３００において閉店後に、担当者により、（ａ）に示すように売上金（ここでは、硬貨、紙幣とも）の回収を行う旨の操作が行われると、（ｂ）に示すように硬貨釣銭機１００の図示しない硬貨収納部１０６から繰り出された硬貨が、回収ユニット４００に渡されて硬貨回収カセット４０３に収納されるとともに、（ｃ）に示すように紙幣釣銭機２００の図示しない紙幣収納部２０６から繰り出された紙幣が、回収ユニット４００に渡されて紙幣回収カセット４１３に収納される。
【００２４】
硬貨及び紙幣の回収ユニット４００の硬貨回収カセット４０３及び紙幣回収カセット４１３への回収が終了すると、（ｄ）に示すように硬貨釣銭機１００及び紙幣釣銭機２００からＰＯＳレジスタ３００を経由して現金センタに、店舗の識別情報と、ＰＯＳレジスタ３００の識別情報と、回収された硬貨及び紙幣の金種別の枚数の情報とを含む回収通知を送信する。現金センタは、回収通知を受け付けたならば、受け付けた情報を登録して記憶する。
【００２５】
次に、ＰＯＳレジスタ３００において、店舗の売上金を現金センタに輸送する担当者により、（ｅ）に示すように回収ユニット４００からの硬貨回収カセット４０３及び紙幣回収カセット４１３の取り出しの操作が行われると、（ｆ）に示すように回収ユニット４００からＰＯＳレジスタ３００を経由して現金センタに、店舗の識別情報と、ＰＯＳレジスタ３００の識別情報と、硬貨回収カセット４０３及び紙幣回収カセット４１３に収納されている硬貨及び紙幣の金種別枚数の情報とを含むカセット取出通知を送信する。現金センタは、カセット取出通知を受け付けたならば、受け付けた情報を登録して記憶する。
【００２６】
回収ユニット４００は、カセット取出通知を送信したならば、硬貨回収カセット４０３及び紙幣回収カセット４１３の抜き取りを制限していた電磁ロックを解除する。そして、店舗の売上金を現金センタに輸送する担当者は、電磁ロックが解除された硬貨回収カセット４０３及び紙幣回収カセット４１３を（ｇ）及び（ｈ）に示すように回収ユニット４００から取り出して、（ｉ）に示すように硬貨回収カセット４０３及び紙幣回収カセット４１３ごと現金センタに輸送する。
【００２７】
現金センタでは、持ち込まれた硬貨回収カセット４０３及び紙幣回収カセット４１３を解錠して収納されていた硬貨及び紙幣を取り出して、取り出した硬貨及び紙幣を貨幣計数機等を用いて計数する。現金センタでは、このようにして現金センタに持ち込まれた貨幣を貨幣計数機等を用いて計数した結果と、（ｄ）又は（ｆ）により受け付けた内容とを比較することによって現金センタに持ち込まれた貨幣の過不足を検査する。
【００２８】
このように、ＰＯＳレジスタ３００の担当者によるＰＯＳレジスタ３００からの回収指示操作に基づいて、硬貨釣銭機１００から硬貨を繰り出して回収ユニット４００の着脱可能な硬貨回収カセット４０３に収納し、紙幣釣銭機２００から紙幣を繰り出して回収ユニット４００の着脱可能な紙幣回収カセット４１３に収納し、現金センタへの運搬担当者によるカセット取出指示操作に基づいて、硬貨回収カセット４０３及び紙幣回収カセット４１３の電磁ロック解除をすることにより取出可能とするようにしたので、小規模な商業施設の売上金を現金センタなどに輸送する場合に、人手を介在する際に生ずるミスや不正を効率良く抑制することができる。
【００２９】
尚、図１の概要の説明では、（ｄ）に示すようにＰＯＳレジスタ３００の担当者が回収を行う旨の操作が行われた場合に回収通知と、（ｆ）に示すように現金センタに輸送する担当者により回収ユニット４００からの硬貨回収カセット４０３及び紙幣回収カセット４１３の取り出しの操作がされた場合にカセット取出通知とが現金センタに送信されるものとして説明したが、本発明はこれに限定されるものではなく、回収通知又はカセット取出通知のいずれか一つが送信されるものとしてもよい。
【００３０】
次に、貨幣処理システムのシステム構成を説明する。図２は、貨幣処理システムのシステム構成を示す図である。図２に示すように貨幣処理システムは、店舗と現金センタに設置される装置があり、専用線又はインタネットなどの通信網を経由して相互に接続されている。
【００３１】
店舗側には、１台又は複数台であっても少数のＰＯＳレジスタ３００が設置されており、ＬＡＮなどの通信線を介してＰＯＳサーバ７００と接続されている。それぞれのＰＯＳレジスタ３００に対して硬貨釣銭機１００、紙幣釣銭機２００及び回収ユニット４００が接続されている。硬貨釣銭機１００は、顧客から受け付けた硬貨の真贋判定を行い、真貨であると判定された硬貨額をＰＯＳレジスタ３００に通知するとともに、受け付けた硬貨を硬貨釣銭機１００の内部に収納する。また、硬貨釣銭機１００は、ＰＯＳレジスタ３００からの指示に基づいて釣銭の硬貨の払出を行う。紙幣釣銭機２００は、顧客から受け付けた紙幣の真贋判定を行い、真券であると判定された紙幣額をＰＯＳレジスタ３００に通知するとともに、受け付けた紙幣を紙幣釣銭機２００の内部に収納する。また、紙幣釣銭機２００は、ＰＯＳレジスタ３００からの指示に基づいて釣銭の紙幣の払出を行う。回収ユニット４００は硬貨釣銭機１００及び紙幣釣銭機２００から受け渡された硬貨及び紙幣を、装置内の硬貨回収カセット４０３及び紙幣回収カセット４１３に収納する。また、硬貨回収カセット４０３及び紙幣回収カセット４１３は、装置に対して着脱可能であり、硬貨回収カセット４０３及び紙幣回収カセット４１３自体にも内部に収納された硬貨又は紙幣へのアクセスを制限する施錠機構のある扉を有している。そして、この扉は、原則として現金センタへ持ち込まれないと解錠できないものとする。このことにより、硬貨回収カセット４０３及び紙幣回収カセット４１３は、硬貨及び紙幣が内部に収納された状態で取り出して、硬貨回収カセット４０３及び紙幣回収カセット４１３ごと輸送する際の防犯性を備えている。
【００３２】
硬貨釣銭機１００、紙幣釣銭機２００及び回収ユニット４００は、それぞれの内部に収納されている硬貨及び紙幣の在高を管理している。また、硬貨及び紙幣の在高に係る情報は、ＰＯＳレジスタ３００にも随時通知されることから、ＰＯＳレジスタ３００もほぼリアルタイムで硬貨釣銭機１００、紙幣釣銭機２００及び回収ユニット４００の現金の在高を把握している。
【００３３】
ＰＯＳレジスタ３００は、商品代金の決済を行うための装置であり、顧客の購入した商品の識別情報及び個数の入力を受け付けて顧客への請求金額を算出する。また、ＰＯＳレジスタ３００は、顧客から受け付けた現金を硬貨釣銭機１００及び紙幣釣銭機２００に投入することによって硬貨釣銭機１００及び紙幣釣銭機２００から通知される受付金額を受け取って、受付金額から顧客への請求金額を差し引いた金額を釣銭として払い出すよう硬貨釣銭機１００及び紙幣釣銭機２００に指示を行う。
【００３４】
また、ＰＯＳレジスタ３００は、顧客単位の取引の決済処理が終了するごとに、取引の履歴をレシートとして発行するとともに、取引の履歴を記録する。また、ＰＯＳレジスタ３００は、顧客単位の決済処理が終了するごとに、取引の履歴をＰＯＳサーバ７００にも送信する。また、ＰＯＳレジスタ３００は、硬貨釣銭機１００、紙幣釣銭機２００及び回収ユニット４００の現金の在高の情報及びエラー等の状態を随時ＰＯＳサーバ７００にも通知を行う。これによって、ＰＯＳサーバ７００は、ほぼリアルタイムで硬貨釣銭機１００、紙幣釣銭機２００及び回収ユニット４００の現金の在高の情報及びエラー等の状態を把握することができる。また、ＰＯＳサーバ７００は、図１の（ｄ）に示した回収通知をＰＯＳレジスタ３００から受け付けて、現金センタに送信する。また、ＰＯＳサーバ７００は、図１の（ｆ）に示したカセット取出通知をＰＯＳレジスタ３００から受け付けて、現金センタに送信する。
【００３５】
次に、本実施例に係るＰＯＳレジスタ３００、硬貨釣銭機１００、紙幣釣銭機２００及び回収ユニット４００の外観構成について図３を用いて説明する。図３（ａ）は、ＰＯＳレジスタ３００の外観構成を示すための斜視図で、図３（ｂ）はＰＯＳレジスタ３００に接続される硬貨釣銭機１００、紙幣釣銭機２００及び回収ユニット４００の外観構成を示す斜視図である。
【００３６】
図３（ａ）に示すようにＰＯＳレジスタ３００は、硬貨釣銭機１００や紙幣釣銭機２００における硬貨や紙幣の処理状況や、硬貨釣銭機１００や紙幣釣銭機２００で受け付けた硬貨や紙幣の預かり額や決済対象の商品の一覧などを表示する表示部３０２と、ＰＯＳレジスタ３００に対する様々な入力操作を受け付ける操作部３０４と、表示部３０２に表示する内容の一部や表示部３０２とは異なる内容を表示する追加表示部３０２ａと、レシートを発行するプリンタ３０６と、商品などのバーコードを読み取るバーコードリーダ３０８と、ＰＯＳレジスタ３００を操作する担当者のカード等の情報を読み取るスリット状のカードリーダ３１０とを有する。
【００３７】
図３（ｂ）に示すように、硬貨釣銭機１００及び紙幣釣銭機２００は、回収ユニット４００の上面に左右方向に並べて載置される。また、ＰＯＳレジスタ３００は、並べて配置された硬貨釣銭機１００及び紙幣釣銭機２００の上面に載置される。
【００３８】
硬貨釣銭機１００は、前部上面に硬貨釣銭機１００及び紙幣釣銭機２００の機内の貨幣の金種別の在高等の表示を行う操作表示部１１２と、顧客から受け付けた硬貨を投入する硬貨受入部１１４を備え、前部に釣銭硬貨を払い出す硬貨払出部１１６が設けられている。硬貨受入部１１４は、受け入れた硬貨を１層１列状態で１枚ずつ機内に取り込む。また、硬貨釣銭機１００は、図示しないが装置下面に回収ユニット４００に回収する硬貨を受け渡す回収ユニット接続部１２０を備えている。
【００３９】
また、図３（ｂ）に示すように紙幣釣銭機２００は、前面に紙幣受入口２１４ａと、紙幣取出口２１６ａとを備えている。また、売上金の回収時に回収する紙幣を一時集積する紙幣集積部２０７が設けられている。また、払い出そうとした紙幣のうち、識別することができなかった紙幣を収納する出金リジェクト部２０４を備える。また、紙幣受入口２１４ａから機体内に取り込まれた紙幣のうち、汚損等により識別することができない紙幣は入金リジェクト紙幣として紙幣取出口２１６ａに返却される。また、紙幣釣銭機２００は、図示しないが装置下面に回収ユニット４００に回収する紙幣を受け渡す回収ユニット接続部２２０を備えている。
【００４０】
また、図３（ｂ）に示すように回収ユニット４００は、前面から取り出し可能に硬貨回収カセット４０３及び紙幣回収カセット４１３が配置されている。ただし、回収ユニット４００は、図示しない硬貨カセットロック部４０４及び紙幣カセットロック部４１４を備えており、これらの電磁ロックが解除された状態でなければ、硬貨回収カセット４０３及び紙幣回収カセット４１３を取り出すことはできない。また、回収ユニット４００は、図示しないが装置上面に硬貨釣銭機１００から受け渡された硬貨を受け付ける、硬貨釣銭機１００の回収ユニット接続部１２０と対となる硬貨接続部４０１と、紙幣釣銭機２００から受け渡された紙幣を受け付ける、紙幣釣銭機２００の回収ユニット接続部２２０と対となる紙幣接続部４１１とを備えている。
【００４１】
次に、図２に示したＰＯＳレジスタ３００、硬貨釣銭機１００、紙幣釣銭機２００及び回収ユニット４００の本実施例に係る装置内部の物理構成を図４を用いて説明する。
【００４２】
ＰＯＳレジスタ３００は、表示部３０２、操作部３０４及びＰＯＳレジスタ全体を制御する制御部３３０を有している。制御部３３０は、通信線を介してＰＯＳサーバ７００に接続されており、売上に係る情報等が送信されるようになっている。また、ＰＯＳレジスタ３００の制御部３３０は、硬貨釣銭機１００の制御部１３０と通信線によって接続されている。また、硬貨釣銭機１００の制御部１３０は、紙幣釣銭機２００の制御部２３０及び回収ユニット４００の制御部４３０と通信線によって接続されている。これによりＰＯＳレジスタ３００は、硬貨釣銭機１００を経由して紙幣釣銭機２００及び回収ユニット４００とも通信を行うことができる。
【００４３】
硬貨釣銭機１００の筐体の前部に設けられている硬貨受入部１１４は、受け入れた硬貨を１層１列状態で１枚ずつ機体内に取り込むようになっている。硬貨受入部１１４には、当該硬貨受入部１１４により機体内に取り込まれた硬貨を搬送する入金搬送部１０３が接続されている。
【００４４】
この入金搬送部１０３の途中には、硬貨の識別を行う硬貨識別部１０１と、分岐部１０４とがそれぞれ設けられている。分岐部１０４は、硬貨識別部１０１による硬貨の識別結果に基づいて、リジェクト硬貨等を、硬貨払出部１１６から払い出されるべき硬貨として出金搬送部１０８へ分岐させる。
【００４５】
一方、正常硬貨等の機体内に収納されるべき硬貨は入金搬送部１０３により硬貨収納部１０６へ搬送されるようになっている。硬貨収納部１０６は硬貨を金種別に収納するようになっている。具体的には、例えば入金搬送部１０３の上流側から高額順に硬貨が収納される。出金搬送部１０８は、硬貨収納部１０６から繰り出された硬貨を硬貨払出部１１６へ搬送する。また、硬貨収納部１０６と硬貨払出部１１６との間の出金搬送部１０８上に回収ユニット分岐部１０９が設けられている。回収ユニット分岐部１０９は、硬貨払出部１１６から繰り出された硬貨を、硬貨払出部１１６若しくは回収ユニット４００に硬貨を受け渡すための図示しない回収ユニット接続部１２０のいずれかに分岐させる。回収ユニット分岐部１０９は、硬貨収納部１０６から回収の指示に基づいて硬貨が繰り出された場合には、繰り出された硬貨を回収ユニット接続部１２０に分岐させ、回収の指示以外の釣銭の払い出しなどの場合には繰り出された硬貨を硬貨払出部１１６に分岐させる。また、出金搬送部１０８は、分岐部１０４から搬送されたリジェクト硬貨等を硬貨払出部１１６へ搬送する。
【００４６】
紙幣釣銭機２００は、筐体の略中央部に設けられた環状の周回搬送部２０３ａを備えている。また、紙幣受入部２１４、２つの紙幣収納部２０６、紙幣払出部２１６、出金リジェクト部２０４、紙幣集積部２０７及び回収ユニット接続部２２０が、周回搬送部２０３ａから外周を取り囲むように配置されている。
【００４７】
また、紙幣受入部２１４、紙幣収納部２０６、紙幣払出部２１６、出金リジェクト部２０４、紙幣集積部２０７及び回収ユニット接続部２２０と、周回搬送部２０３ａとの間をそれぞれ接続する複数の接続搬送部２０３ｂが形成されている。また、周回搬送部２０３ａには紙幣識別部２０１が設けられており、この紙幣識別部２０１は、当該紙幣識別部２０１を通過する紙幣の識別を行う。また、周回搬送部２０３ａと接続搬送部２０３ｂとの間で紙幣の搬送経路を切り換える経路切換部（図示せず）が、周回搬送部２０３ａに沿って配置されている。
【００４８】
紙幣受入部２１４は、紙幣受入口２１４ａに挿入された入金紙幣を１枚ずつ取り込んで、周回搬送部２０３ａ側へ繰り出すようになっている。紙幣収納部２０６は、紙幣識別部２０１の識別結果に基づいて紙幣を金種別に収納する。紙幣払出部２１６は、紙幣収納部２０６から周回搬送部２０３ａに繰り出された紙幣を紙幣取出口２１６ａより機外へ放出する。
【００４９】
出金リジェクト部２０４は、紙幣収納部２０６から繰り出された紙幣のうち、斜行や重送等により紙幣識別部２０１で識別することができない紙幣を出金リジェクト紙幣として収納する。また、紙幣受入部２１４から機体内に取り込まれた紙幣のうち、汚損等により紙幣識別部２０１で識別することができない紙幣は入金リジェクト紙幣として紙幣払出部２１６に返却される。
【００５０】
２つの紙幣収納部２０６は、通常、釣銭として払い出しを行う五千円券及び千円券用の収納部として使用される。紙幣受入口２１４ａに挿入された入金紙幣のうち、五千円券及び千円券は、それぞれ対応する紙幣収納部２０６に収納され、万円券は、回収ユニット接続部２２０に搬送され、回収ユニット４００に直接収納されることになる。
【００５１】
また、回収の指示を受け付けると、受け付けた内容に基づいて紙幣収納部２０６から紙幣を繰り出して、一旦、紙幣集積部２０７に集積し、指示された金種別枚数の紙幣が紙幣集積部２０７に集積されたならば、紙幣集積部２０７に集積された紙幣を繰り出して回収ユニット接続部２２０を経由して回収ユニット４００に受け渡す。
【００５２】
回収ユニット４００は、硬貨釣銭機１００の回収ユニット接続部１２０の対となる硬貨接続部４０１で硬貨を受け付けて、受け付けた硬貨を硬貨搬送部４０２により硬貨回収カセット４０３に搬送する。また、回収ユニット４００は、紙幣釣銭機２００の回収ユニット接続部２２０の対となる紙幣接続部４１１で紙幣を受け付けて、受け付けた紙幣を紙幣搬送部４１２により紙幣回収カセット４１３に搬送する。
【００５３】
次に、図２に示した硬貨釣銭機１００、紙幣釣銭機２００及び回収ユニット４００の本実施例に係る機能的な内部構成を説明する。図５は、硬貨釣銭機１００、紙幣釣銭機２００及び回収ユニット４００の本実施例に係る内部構成を示すブロック図である。
【００５４】
図５に示すように、硬貨釣銭機１００は、通信部１３２、硬貨受入部１１４、入金搬送部１０３、硬貨識別部１０１、分岐部１０４、硬貨収納部１０６、出金搬送部１０８、硬貨払出部１１６、操作表示部１１２、回収ユニット分岐部１０９、回収ユニット接続部１２０、記憶部１３４及び制御部１３０を備えている。通信部１３２は、通信線を通してＰＯＳレジスタ３００、紙幣釣銭機２００及び回収ユニット４００とのデータ通信を行うためのインタフェース部である。紙幣釣銭機２００及び回収ユニット４００はＰＯＳレジスタ３００と通信線で接続されていないが、硬貨釣銭機１００が仲介することによってＰＯＳレジスタ３００と通信することができるよう構成されている。硬貨受入部１１４、入金搬送部１０３、硬貨識別部１０１、分岐部１０４、硬貨収納部１０６、出金搬送部１０８、硬貨払出部１１６、操作表示部１１２、回収ユニット分岐部１０９及び回収ユニット接続部１２０については、図３又は図４で説明したのでここでの説明は省略する。
【００５５】
記憶部１３４は、ハードディスク装置や不揮発性メモリ等の記憶デバイスであり、硬貨在高データ１３４ａ及び入出金履歴データ１３４ｂを有する。硬貨在高データ１３４ａは、硬貨釣銭機１００内で管理する硬貨の金種別の在高を示すデータである。入出金履歴データ１３４ｂは、硬貨釣銭機１００で行われた硬貨の受け払いの履歴を記録したデータである。
【００５６】
制御部１３０は、硬貨釣銭機１００の全体を制御する制御部であり、入出金処理部１３０ａ、補充処理部１３０ｂ及び回収処理部１３０ｃを有する。実際には、これらの機能部に対応するプログラムを図示しない各種補助記憶装置（ＨＤＤやＳＳＤなど）に記憶しておき、これらのプログラムをＣＰＵ（Central Processing Unit）の制御の元、主記憶装置（メインメモリ）上にロードして実行することにより、対応するプロセスを実行させることになる。
【００５７】
入出金処理部１３０ａは、硬貨の入金処理及び出金処理全体を制御する処理部である。また、入出金処理部１３０ａは、硬貨の入出金が終了したならば、入出金履歴データ１３４ｂの更新を行うとともに、金種ごとの入出金の内容に応じて硬貨在高データ１３４ａの更新を行う。
【００５８】
補充処理部１３０ｂは、硬貨受入部１１４で受け付けた硬貨の硬貨収納部１０６への補充処理の全体を制御する処理部である。補充処理部１３０ｂは、補充処理により硬貨収納部１０６に収納された硬貨の枚数に応じて硬貨在高データ１３４ａの更新を行う。また、補充処理部１３０ｂは、補充処理に係る情報を入出金履歴データ１３４ｂに登録する。
【００５９】
回収処理部１３０ｃは、ＰＯＳレジスタ３００から回収の指示を受け付けた場合、若しくは操作表示部１１２の操作による回収の指示を受け付けた場合に、金種ごとに指定された枚数の硬貨（全回収の場合は、全ての硬貨）を硬貨収納部１０６から繰り出して、回収ユニット接続部１２０に搬送して、回収ユニット４００に受け渡す。また、回収処理部１３０ｃは、回収ユニット４００に受け渡した硬貨の枚数に応じて硬貨在高データ１３４ａの更新を行う。
【００６０】
入出金処理部１３０ａ、補充処理部１３０ｂ及び回収処理部１３０ｃは、それぞれの処理の結果として、硬貨在高データ１３４ａ及び入出金履歴データ１３４ｂの更新が行われた場合には、更新内容（各処理を実行した旨の情報を含む）をＰＯＳレジスタ３００に通知する。
【００６１】
図５に示すように、紙幣釣銭機２００は、通信部２３２、紙幣受入部２１４、周回搬送部２０３ａ、接続搬送部２０３ｂ、紙幣識別部２０１、紙幣収納部２０６、出金リジェクト部２０４、紙幣払出部２１６、紙幣集積部２０７、回収ユニット接続部２２０、記憶部２３４及び制御部２３０を備えている。通信部２３２は、通信線を通して硬貨釣銭機１００とのデータ通信を行うためのインタフェース部である。紙幣受入部２１４、周回搬送部２０３ａ、接続搬送部２０３ｂ、紙幣識別部２０１、紙幣収納部２０６、出金リジェクト部２０４、紙幣払出部２１６、紙幣集積部２０７及び回収ユニット接続部２２０については、図３又は図４で説明したのでここでの説明は省略する。
【００６２】
記憶部２３４は、ハードディスク装置や不揮発性メモリ等の記憶デバイスであり、紙幣在高データ２３４ａ及び入出金履歴データ２３４ｂを有する。紙幣在高データ２３４ａは、紙幣釣銭機２００内で管理する紙幣の金種別の在高を示すデータである。入出金履歴データ２３４ｂは、紙幣釣銭機２００で行われた紙幣の受け払いの履歴を記録したデータである。
【００６３】
制御部２３０は、紙幣釣銭機２００の全体を制御する制御部であり、入出金処理部２３０ａ、補充処理部２３０ｂ及び回収処理部２３０ｃを有する。実際には、これらの機能部に対応するプログラムを図示しない各種補助記憶装置（ＨＤＤやＳＳＤなど）に記憶しておき、これらのプログラムをＣＰＵの制御の元、主記憶装置（メインメモリ）上にロードして実行することにより、対応するプロセスを実行させることになる。
【００６４】
入出金処理部２３０ａは、紙幣の入金処理及び出金処理全体を制御する処理部である。また、入出金処理部２３０ａは、紙幣の入出金が終了したならば、入出金履歴データ２３４ｂの更新を行うとともに、金種ごとの入出金の内容に基づいて紙幣在高データ２３４ａの更新を行う。
【００６５】
補充処理部２３０ｂは、紙幣受入部２１４で受け付けた紙幣の紙幣収納部２０６への補充処理の全体を制御する処理部である。補充処理部２３０ｂは、補充処理により紙幣収納部２０６に収納された紙幣の枚数に応じて紙幣在高データ２３４ａの更新を行う。また、補充処理部２３０ｂは、補充処理に係る情報を入出金履歴データ２３４ｂに登録する。
【００６６】
回収処理部２３０ｃは、硬貨釣銭機１００を経由してＰＯＳレジスタ３００から回収の指示を受け付けた場合、若しくは硬貨釣銭機１００の操作表示部１１２の操作による回収の指示を受け付けた場合に、金種ごとに指定された枚数の紙幣を紙幣収納部２０６から繰り出して、回収ユニット接続部２２０に搬送して、回収ユニット４００に受け渡す。また、回収処理部２３０ｃは、回収ユニット４００に受け渡された紙幣の枚数に応じて紙幣在高データ２３４ａの更新を行う。また、回収処理部２３０ｃは、回収処理に係る情報を入出金履歴データ２３４ｂに登録する。
【００６７】
入出金処理部２３０ａ、補充処理部２３０ｂ及び回収処理部２３０ｃは、それぞれの処理の結果、紙幣在高データ２３４ａ及び入出金履歴データ２３４ｂの更新を行う場合には、硬貨釣銭機１００を経由して更新内容をＰＯＳレジスタ３００に通知する。
【００６８】
図５に示すように、回収ユニット４００は、通信部４３２、硬貨接続部４０１、硬貨搬送部４０２、硬貨回収カセット４０３、硬貨カセットロック部４０４、紙幣接続部４１１、紙幣搬送部４１２、紙幣回収カセット４１３、紙幣カセットロック部４１４、記憶部４３４及び制御部４３０を備えている。通信部４３２は、通信線を通して硬貨釣銭機１００とのデータ通信を行うためのインタフェース部である。硬貨接続部４０１、硬貨搬送部４０２、硬貨回収カセット４０３、硬貨カセットロック部４０４、紙幣接続部４１１、紙幣搬送部４１２、紙幣回収カセット４１３、紙幣カセットロック部４１４は、図３又は図４で説明したのでここでの説明は省略する。
【００６９】
記憶部４３４は、ハードディスク装置や不揮発性メモリ等の記憶デバイスであり、在高データ４３４ａを有する。在高データ４３４ａは硬貨回収カセット４０３及び紙幣回収カセット４１３に収納されている硬貨及び紙幣の金種別の在高を示すデータである。
【００７０】
制御部４３０は、回収ユニット４００の全体を制御する制御部であり、硬貨回収処理部４３０ａ、紙幣入金処理部４３０ｂ、紙幣回収処理部４３０ｃ及びカセット取出処理部４３０ｄを有する。実際には、これらの機能部に対応するプログラムを図示しない各種補助記憶装置（ＨＤＤやＳＳＤなど）に記憶しておき、これらのプログラムをＣＰＵの制御の元、主記憶装置（メインメモリ）上にロードして実行することにより、対応するプロセスを実行させることになる。
【００７１】
硬貨回収処理部４３０ａは、硬貨釣銭機１００を経由してＰＯＳレジスタ３００から硬貨回収の指示を受け付けた場合、若しくは硬貨釣銭機１００の操作表示部１１２の操作による硬貨回収の指示を受け付けた場合に、硬貨接続部４０１で硬貨釣銭機１００から受け渡された硬貨を硬貨搬送部４０２により硬貨回収カセット４０３に搬送して収納する。また、硬貨回収処理部４３０ａは、この硬貨の回収処理に伴って在高データ４３４ａの更新を行う。
【００７２】
紙幣入金処理部４３０ｂは、紙幣釣銭機２００の入金処理に伴って紙幣接続部４１１で紙幣釣銭機２００から受け渡された紙幣を紙幣搬送部４１２により紙幣回収カセット４１３に搬送して収納する。また、紙幣入金処理部４３０ｂは、この紙幣の入金処理に伴って在高データ４３４ａの更新を行う。
【００７３】
紙幣回収処理部４３０ｃは、硬貨釣銭機１００を経由してＰＯＳレジスタ３００から紙幣回収の指示を受け付けた場合、若しくは硬貨釣銭機１００の操作表示部１１２の操作による紙幣回収の指示を受け付けた場合に、紙幣接続部４１１で紙幣釣銭機２００から受け渡された紙幣を紙幣搬送部４１２により紙幣回収カセット４１３に搬送して収納する。また、紙幣回収処理部４３０ｃは、この紙幣の回収処理に伴って在高データ４３４ａの更新を行う。
【００７４】
カセット取出処理部４３０ｄは、在高データ４３４ａの内容を含むカセット取出通知をＰＯＳレジスタ３００及びＰＯＳサーバ７００を経由して現金センタに通知し、硬貨回収カセット４０３及び紙幣回収カセット４１３が取り出し可能となるように硬貨カセットロック部４０４及び紙幣カセットロック部４１４の電磁ロックを解除する。また、カセット取出処理部４３０ｄは、硬貨カセットロック部４０４及び紙幣カセットロック部４１４が取り出されたことを検知したならば在高データ４３４ａをクリアする。
【００７５】
硬貨回収処理部４３０ａ、紙幣入金処理部４３０ｂ、紙幣回収処理部４３０ｃ及びカセット取出処理部４３０ｄは、それぞれの処理の結果、在高データ４３４ａの更新を行う場合には、硬貨釣銭機１００を経由して更新内容をＰＯＳレジスタ３００に通知する。
【００７６】
次に、図２に示したＰＯＳレジスタ３００の本実施例に係る機能的な内部構成を説明する。図６は、ＰＯＳレジスタ３００の本実施例に係る機能的な内部構成を示すブロック図である。
【００７７】
図６に示すように、ＰＯＳレジスタ３００は表示部３０２、操作部３０４、プリンタ３０６、バーコードリーダ３０８、ＰＯＳレジスタ３００を操作する担当者のカードの情報を読み取るカードリーダ３１０、通信部３３２、記憶部３３４及び制御部３３０を備えている。
【００７８】
記憶部３３４は、ハードディスク装置や不揮発性メモリ等の記憶デバイスであり、在高データ３３４ａ及び取引履歴データ３３４ｂを有する。在高データ３３４ａは、接続される硬貨釣銭機１００、紙幣釣銭機２００及び回収ユニット４００から通知される硬貨在高データ１３４ａ、紙幣在高データ２３４ａ及び在高データ４３４ａを記憶したデータである。取引履歴データ３３４ｂは、ＰＯＳレジスタ３００で決済された顧客との取引の履歴のデータを含む。また、取引履歴データ３３４ｂは、釣銭の補充処理、回収処理及び装置のエラー発生の状況などの履歴の情報も含む。
【００７９】
制御部３３０は、ＰＯＳレジスタ３００の全体を制御する制御部であり、履歴情報管理部３３０ａ、補充回収処理部３３０ｂ及び商品決済処理部３３０ｃを有する。実際には、これらの機能部に対応するプログラムを図示しない各種補助記憶装置（ＨＤＤやＳＳＤなど）に記憶しておき、これらのプログラムをＣＰＵ（Central Processing Unit）の制御の元、主記憶装置（メインメモリ）上にロードして実行することにより、対応するプロセスを実行させることになる。
【００８０】
履歴情報管理部３３０ａは、ＰＯＳレジスタ３００で処理される商品代金の決済処理だけではなく、釣銭機に対する釣銭準備金の補充処理、釣銭機からの現金の回収処理及びエラー発生の状況などを取引履歴データ３３４ｂに記録するとともに、記録した内容をＰＯＳサーバ７００に送信する。また、履歴情報管理部３３０ａは、ＰＯＳサーバ７００に取引履歴データ３３４ｂの更新内容を送信する場合に、在高データ３３４ａが更新されている場合には、在高データ３３４ａの更新内容も併せてＰＯＳサーバ７００に送信する。
【００８１】
補充回収処理部３３０ｂは、補充処理の操作を受け付けて、釣銭準備金の補充処理を行う。具体的には、補充処理の操作を受け付けたならば、硬貨釣銭機１００に対して硬貨を釣銭準備金として補充する旨を示す補充指示を行い、紙幣釣銭機２００に対して紙幣を釣銭準備金として補充する旨を示す補充指示を行う。補充指示を受け付けた硬貨釣銭機１００は、硬貨受入部１１４に投入されたバラ硬貨を真贋判定及び計数して硬貨収納部１０６に収納し、収納した硬貨の金種別の枚数を硬貨在高データ１３４ａに反映する。また、補充指示を受付けた紙幣釣銭機２００は、紙幣受入部２１４に挿入された紙幣の真贋判定及び計数を行って紙幣収納部２０６に収納し、収納した紙幣の金種別の枚数を紙幣在高データ２３４ａに反映する。
【００８２】
補充回収処理部３３０ｂは、回収に係る指示操作を受け付けて、受け付けた内容に応じた貨幣の回収処理を硬貨釣銭機１００、紙幣釣銭機２００及び回収ユニット４００に対して指示を行う。回収に係る指示は、硬貨釣銭機１００、紙幣釣銭機２００及び回収ユニット４００に収納されている全ての貨幣を回収する全回収の指示と、金種別の数量を指定して回収する数量指定回収の指示と、機内に残す貨幣の金額や金種別の枚数を指定して余剰分を回収する残置回収の指示等がある。
【００８３】
商品決済処理部３３０ｃは、バーコードリーダ３０８及び操作部３０４により決済対象の商品の種類及び数の入力を受け付けて、受け付けた内容に対応する商品代金を算出する。また、商品決済処理部３３０ｃは、硬貨釣銭機１００及び紙幣釣銭機２００に投入された貨幣額を硬貨釣銭機１００から受け付けて、算出した商品代金との差額を釣銭として払い出す旨の指示を硬貨釣銭機１００及び紙幣釣銭機２００に行う。また、商品決済処理部３３０ｃは、商品決済に係る商品の情報、受け付けた貨幣の情報、払い出した釣銭の情報などを履歴データとして取引履歴データ３３４ｂに登録する。
【００８４】
次に、図５に示した硬貨釣銭機１００、紙幣釣銭機２００及び回収ユニット４００の本実施例に係るデータ構成について図７を用いて説明する。
【００８５】
硬貨在高データ１３４ａは、硬貨釣銭機１００の硬貨金種別の機内在高と、金種別の硬貨収納部１０６に収納することができなかったあふれ硬貨の枚数と、当該硬貨釣銭機１００が精査待ちになっているか否かの情報と、エラー発生中である場合には発生中のエラーコードとを含む。精査待ちの情報は、コード化されたデータであって、「０」は精査待ちではないことを示し、「１」は精査待ちであることを示す。図７の硬貨在高データ１３４ａの例は、５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚で、精査待ちは「０」であり精査待ちではなく、エラーコードの情報がなくエラー発生中ではないことを示すレコードが含まれていることを表している。
【００８６】
入出金履歴データ１３４ｂは、処理が行われた日時に関連付けられた処理区分、受け付けた金種別の硬貨の枚数である金種別受付枚数と、払い出した金種別の硬貨の枚数である金種別払出枚数と、当該処理でエラーが発生した場合のエラーコードとをレコードの保有項目とするデータである。処理区分はコード化された情報であって行われた処理内容を示す情報であり、「１」は代金決済で、「２」は両替で、「３」は補充で、「５」は全回収以外の部分回収で、「６」は装置内の貨幣の数量を検査する精査で、「７」は全回収で、「８」はエラー発生であることを示している。
【００８７】
図７の入出金履歴データ１３４ｂの例は、日時が「２０１４／４／１０  １８：３０」に処理区分「１」の示す代金決済処理が行われ、硬貨は受け付けていなくて、１００円貨「２」枚を払い出し、この処理においてエラーの発生はなかったことを示すレコードが含まれていることを示している。
【００８８】
紙幣在高データ２３４ａは、紙幣釣銭機２００の紙幣金種別の機内在高と、紙幣収納部２０６から正しく繰り出すことができなかったリジェクト件数と、金種別の紙幣収納部２０６に収納することができなかったあふれ紙幣の枚数と、紙幣釣銭機２００が精査待ちになっているか否かの情報と、エラー発生中である場合には発生中のエラーコードとを含む。図７の紙幣在高データ２３４ａの例は、五千円券が「２０」枚で、千円券が「１２０」枚で、リジェクト件数が「５」件で、あふれ券が「０」枚で、精査待ちは「０」であり精査待ちではなく、エラーコードの情報がなくエラー発生中ではないことを示している。
【００８９】
入出金履歴データ２３４ｂは、処理が行われた日時に関連付けられた処理区分、受け付けた紙幣の金種別の枚数である金種別受付枚数と、払い出した紙幣の金種別の枚数である金種別払出枚数と、エラーコードとをレコードの保有項目とするデータである。処理区分はコード化されたデータであってコードの意味は先に説明した入出金履歴データ１３４ｂの処理区分と同じである。図７の入出金履歴データ２３４ｂの例は、日時が「２０１４／４／１０  １８：３０」に処理区分「１」の示す代金決済処理が行われ、万円券「１」枚を受け付けて、五千円券「１」枚を払い出して、エラーコードの情報がなくエラー発生中ではないことを示すレコードが含まれていることを表している。
【００９０】
在高データ４３４ａは、回収ユニット４００内に収納されている金種ごとの枚数の情報である。図７の在高データ４３４ａの例は、万円券が「３０」枚で、それ以外の金種は全て「０」枚であることを示している。
【００９１】
次に、図６に示したＰＯＳレジスタ３００の本実施例に係るデータ構成について図８を用いて説明する。
【００９２】
在高データ３３４ａは、硬貨釣銭機１００、紙幣釣銭機２００及び回収ユニット４００から通知された硬貨在高データ１３４ａ、紙幣在高データ２３４ａ及び在高データ４３４ａを記憶したデータであって、紙幣釣銭機２００から受け付けた紙幣在高データ２３４ａに対応する紙幣の金種別の在高の情報と、硬貨釣銭機１００から受け付けた硬貨在高データ１３４ａに対応する硬貨の金種別の在高の情報と、回収ユニット４００から受け付けた在高データ４３４ａに対応する紙幣及び硬貨の金種別の在高の情報とを含んでいる。
【００９３】
図８の在高データ３３４ａの例は、紙幣釣銭機２００の在高は五千円券が「２０」枚で、千円券が「１２０」枚で、リジェクト件数が「５」件で、あふれ券数が「０」枚であり、精査待ちは「０」であり精査待ちではなく、エラーコードの情報がなくエラー発生中ではなく、硬貨釣銭機１００の在高は５００円貨が「１０」枚で、１００円貨が「２０」枚で、５０円貨が「２０」枚で、１０円貨が「１１０」枚で、５円貨が「５０」枚で、１円貨が「４０」枚で、あふれ貨が「０」枚であり、精査待ちは「０」であり精査待ちではなく、エラーコードの情報がなくエラー発生中ではなく、回収ユニット４００の在高は万円券が「３０」枚で、それ以外の金種の在高は「０」枚であることを示している。
【００９４】
取引履歴データ３３４ｂは、処理が行われた日時と、レジ番号と、処理区分と、当該処理で発行されたレシートを識別するレシート番号と、当該処理の取引額と、取引額のうちのクレジットカードによる決済額と、取引額のうちの商品券による決済額と、受け付けた金種別の貨幣の枚数と、払い出した金種別の貨幣の枚数と、硬貨釣銭機１００、紙幣釣銭機２００及び回収ユニット４００のエラーコードと、処理区分が「１」の代金決済の場合の購入した商品に係る情報などをレコードの保有項目とするデータである。処理区分はコード化されたデータであってコードの意味は先に説明した入出金履歴データ１３４ｂの処理区分と同じである。また、処理区分が「３」の補充の場合には、レシート番号には、補充処理で読み取る釣銭準備金払出レシートのレシート番号が記録される。
【００９５】
図８の取引履歴データ３３４ｂの例は、日時が「２０１４／４／１０  １８：３０」に、レジ番号が「１０１」のレジにおいて、処理区分「１」の示す代金決済処理が行われ、レシート番号が「０２９５」のレシートが発行され、取引額が「４，８００」円で、クレジット決済額及び商品券決済額はともに「０」円で、万円券「１」枚を受け付けて、五千円券「１」枚と、１００円貨「２」枚を払い出したことを示すレコードが含まれていることを表している。
【００９６】
次に、図２に示したＰＯＳレジスタ３００で回収指示操作が行われた場合に、硬貨釣銭機１００及び紙幣釣銭機２００から硬貨及び紙幣を回収ユニット４００に回収する処理の処理シーケンスについて図９に示したシーケンス図を用いて説明する。
【００９７】
ＰＯＳレジスタ３００の操作部３０４等の操作により硬貨釣銭機１００及び紙幣釣銭機２００に収納されている貨幣を回収ユニット４００の硬貨回収カセット４０３及び紙幣回収カセット４１３への回収する旨の指示を受け付けたならば、ＰＯＳレジスタ３００の補充回収処理部３３０ｂは、回収する紙幣及び硬貨の金種別枚数の指示を含む回収指示を硬貨釣銭機１００に送信する（ステップＳ１０１）。回収指示は、このように回収する紙幣及び硬貨の金種別枚数の指示を含まずに、硬貨釣銭機１００及び紙幣釣銭機２００に収納されている全てを回収する旨の指示であってもよい。
【００９８】
硬貨釣銭機１００の回収処理部１３０ｃは、ＰＯＳレジスタ３００から送信された回収指示を受け付けて、受け付けた回収指示に基づいて紙幣釣銭機２００及び回収ユニット４００に回収指示を送信する（ステップＳ２０１）。また、回収処理部１３０ｃは、ステップＳ２０１で受け付けた回収指示に基づいて、回収指示に指示された金種別枚数の硬貨を硬貨収納部１０６から繰り出して回収ユニット接続部１２０に搬送することによって回収ユニット４００に回収対象の硬貨を受け渡す（ステップＳ２０２）。回収指示で指示された全ての硬貨が回収ユニット４００に受け渡されたならば、回収処理部１３０ｃは、当該硬貨回収処理に伴う硬貨在高データ１３４ａ及び入出金履歴データ１３４ｂの更新を行う（ステップＳ２０３）。また、回収処理部１３０ｃは、ステップＳ２０３で更新された硬貨在高データ１３４ａ及び入出金履歴データ１３４ｂの更新内容を含む、回収指示に対する硬貨回収処理が終了した旨を示す硬貨回収通知をＰＯＳレジスタ３００に送信する（ステップＳ２０４）。また、回収処理部１３０ｃは、回収ユニット４００に、ステップＳ２０１で送信した回収指示に対する硬貨の搬送処理が終了した旨を示す、搬送した硬貨の金種別枚数の情報を含む硬貨搬送終了通知を送信して（ステップＳ２０５）、処理を終了する。
【００９９】
紙幣釣銭機２００の回収処理部２３０ｃは、ステップＳ２０１で硬貨釣銭機１００から送信された回収指示を受け付けて、回収指示に指示された金種別枚数の紙幣を紙幣収納部２０６から繰り出して回収ユニット接続部２２０に搬送することによって回収ユニット４００に回収対象の紙幣を受け渡す（ステップＳ３０１）。回収指示で指示された全ての紙幣が回収ユニット４００に受け渡されたならば、回収処理部２３０ｃは、当該紙幣回収処理に伴う紙幣在高データ２３４ａ及び入出金履歴データ２３４ｂの更新を行う（ステップＳ３０２）。また、回収処理部２３０ｃは、ステップＳ３０２で更新された紙幣在高データ２３４ａ及び入出金履歴データ２３４ｂの更新内容を含む、回収指示に対する紙幣回収処理が終了した旨を示す紙幣回収通知をＰＯＳレジスタ３００に送信する（ステップＳ３０３）。また、回収処理部２３０ｃは、回収ユニット４００に、紙幣の搬送処理が終了した旨を示す、搬送した紙幣の金種別枚数の情報を含む紙幣搬送終了通知を硬貨釣銭機１００を経由して送信して（ステップＳ３０４）、処理を終了する。
【０１００】
回収ユニット４００は、ステップＳ２０１で硬貨釣銭機１００から送信された回収指示を受け付けた後に、硬貨接続部４０１により硬貨釣銭機１００からの硬貨を受け付けたならば（ステップＳ４０１；Ｙｅｓ）、硬貨回収処理部４３０ａは、受け付けた硬貨を硬貨搬送部４０２により硬貨回収カセット４０３に搬送して収納する（ステップＳ４０２）。硬貨接続部４０１に硬貨を受け付けていない場合（ステップＳ４０１；Ｎｏ）にはステップＳ４０２をスキップしてステップＳ４０３に移行する。
【０１０１】
紙幣接続部４１１により紙幣釣銭機２００からの紙幣を受け付けたならば（ステップＳ４０３；Ｙｅｓ）、紙幣回収処理部４３０ｃは、受け付けた紙幣を紙幣搬送部４１２により紙幣回収カセット４１３に搬送して収納する（ステップＳ４０４）。紙幣接続部４１１に紙幣を受け付けていない場合（ステップＳ４０３；Ｎｏ）にはステップＳ４０４をスキップしてステップＳ４０５に移行する。
【０１０２】
硬貨釣銭機１００のステップＳ２０５による硬貨搬送終了通知及び紙幣釣銭機２００のステップＳ３０４による紙幣搬送終了通知を受信済みの場合（ステップＳ４０５；Ｙｅｓ）には、硬貨回収処理部４３０ａ及び紙幣回収処理部４３０ｃは、受け付けた硬貨搬送終了通知及び紙幣搬送終了通知に基づいて在高データ４３４ａの更新を行って、在高データ４３４ａの更新内容を硬貨釣銭機１００を経由してＰＯＳレジスタ３００に送信して（ステップＳ４０６）、処理を終了する。硬貨釣銭機１００のステップＳ２０５による硬貨搬送終了通知又は紙幣釣銭機２００のステップＳ３０４による紙幣搬送終了通知がまだ受信済みではない場合（ステップＳ４０５；Ｎｏ）には、ステップＳ４０１に戻る。
【０１０３】
ＰＯＳレジスタ３００は、硬貨釣銭機１００のステップＳ２０４による硬貨回収通知、紙幣釣銭機２００のステップＳ３０３による紙幣回収通知及び回収ユニット４００のステップＳ４０６による回収ユニット４００の在高データ４３４ａの更新内容に係る通知を受信済みの場合（ステップＳ１０２；Ｙｅｓ）には、補充回収処理部３３０ｂは、受け付けた内容に基づいて在高データ３３４ａ及び取引履歴データ３３４ｂの更新をする（ステップＳ１０３）。また、補充回収処理部３３０ｂは、硬貨釣銭機１００のステップＳ２０４による硬貨回収通知、紙幣釣銭機２００のステップＳ３０３による紙幣回収通知及び回収ユニット４００のステップＳ４０６による回収ユニット４００の在高データ４３４ａの更新内容に係る通知に基づいて、店舗の識別情報と、ＰＯＳレジスタ３００の識別情報と、回収された硬貨及び紙幣の金種別の枚数の情報とを含む回収通知を現金センタに送信して（ステップＳ１０４）、処理を終了する。硬貨釣銭機１００からの硬貨回収通知、紙幣釣銭機２００からの紙幣回収通知又は回収ユニット４００からの在高データ４３４ａの更新内容に係る通知のいずれかをまだ受信していない場合（ステップＳ１０２；Ｎｏ）には、ステップＳ１０２にもどることによりこれらの通知が全て受信されることを待ち合わせる。
【０１０４】
なお、図９で説明した回収処理の処理手順では、ＰＯＳレジスタ３００の操作により回収処理が開始される旨の説明をしたが、本発明はこれに限定されるものではない。例えば、硬貨釣銭機１００の操作表示部１１２により回収処理の指示を受け付けるようにして、図９のステップＳ１０１で回収指示をＰＯＳレジスタ３００から硬貨釣銭機１００に送信する代わりに、硬貨釣銭機１００からＰＯＳレジスタ３００に、回収処理を開始する旨の回収通知を送信するようにしてもよい。また、例えば、硬貨釣銭機１００の操作表示部１１２により回収処理の指示を受け付けるようにして、ステップＳ１０４の処理については硬貨釣銭機１００から直接、現金センタに送信するようにしてもよい。このようにすれば、ＰＯＳレジスタ３００の電源を落とした状態で回収処理を行うことができる。
【０１０５】
また、図９のシーケンス図には含めていないが、店舗内に複数のＰＯＳレジスタ３００が存在する場合などは、ＰＯＳレジスタ３００同士で装置の状況に係る情報を共有して、図９に示したシーケンス図に示す処理が終了したならば、他のＰＯＳレジスタ３００の回収処理に係る状況をチェックして、まだ回収処理が行われていないＰＯＳレジスタ３００が存在する場合には、そのＰＯＳレジスタ３００の識別情報などの報知を行うようにしてもよい。
【０１０６】
次に、図２に示したＰＯＳレジスタ３００により回収ユニット４００から硬貨回収カセット４０３及び紙幣回収カセット４１３を取り出す処理の処理手順について図１０に示したフローチャートを用いて説明する。
【０１０７】
ＰＯＳレジスタ３００の操作部３０４の操作等によって回収ユニット４００の硬貨回収カセット４０３及び紙幣回収カセット４１３の取り出しの操作を受け付けたときに、ＰＯＳレジスタ３００のカードリーダ３１０で読み込まれているカードが、これらの回収カセットの回収を行う権限を有する担当者のカードであった場合（ステップＳ５０１；Ｙｅｓ）には、補充回収処理部３３０ｂは、店舗の識別情報と、ＰＯＳレジスタ３００の識別情報と、硬貨回収カセット４０３及び紙幣回収カセット４１３に収納されている硬貨及び紙幣の金種別枚数の情報とを含むカセット取出通知を現金センタに送信する（ステップＳ５０２）。
【０１０８】
補充回収処理部３３０ｂは、硬貨釣銭機１００を介して回収ユニット４００に硬貨回収カセット４０３及び紙幣回収カセット４１３のロックを解除する旨の指示を送信して（ステップＳ５０３）、表示部３０２などに硬貨回収カセット４０３及び紙幣回収カセット４１３を取り出す旨のメッセージを表示する（ステップＳ５０４）。
【０１０９】
回収ユニット４００から硬貨回収カセット４０３及び紙幣回収カセット４１３が取り出されたことが検知された旨の通知を受け付けたならば（ステップＳ５０５；Ｙｅｓ）、補充回収処理部３３０ｂは、取り出した硬貨回収カセット４０３及び紙幣回収カセット４１３に代わって空の硬貨回収カセット４０３及び空の紙幣回収カセット４１３を装着する旨のメッセージの表示を行う（ステップＳ５０６）。回収ユニット４００から硬貨回収カセット４０３及び紙幣回収カセット４１３が取り出されたことが検知された旨の通知を受け付けていない場合（ステップＳ５０５；Ｎｏ）には、ステップＳ５０５に戻ることにより硬貨回収カセット４０３及び紙幣回収カセット４１３が取り出されることを待ち合わせる。
【０１１０】
回収ユニット４００から硬貨回収カセット４０３及び紙幣回収カセット４１３が装着されたことが検知された旨の通知を受け付けたならば（ステップＳ５０７；Ｙｅｓ）、補充回収処理部３３０ｂは、回収ユニット４００に指示をして硬貨カセットロック部４０４及び紙幣カセットロック部４１４をロックする（ステップＳ５０８）。回収ユニット４００から硬貨回収カセット４０３及び紙幣回収カセット４１３が装着されたことが検知された旨の通知を受け付けていない場合（ステップＳ５０７；Ｎｏ）には、ステップＳ５０７に戻ることにより硬貨回収カセット４０３及び紙幣回収カセット４１３が装着されることを待ち合わせる。
【０１１１】
最後に、補充回収処理部３３０ｂは、回収ユニット４００に対応する紙幣及び硬貨の在高をクリアして（ステップＳ５０９）、処理を終了する。また、ＰＯＳレジスタ３００の操作部３０４の操作等によって回収ユニット４００の硬貨回収カセット４０３及び紙幣回収カセット４１３の回収の操作を受け付けたときに、ＰＯＳレジスタ３００のカードリーダ３１０で読み込まれているカードが、これらの回収カセットの回収を行う権限を有さない担当者のカードであった場合（ステップＳ５０１；Ｎｏ）には、読み込まれたカードではカセットの取り出し処理は行えない旨のエラーメッセージを表示して（ステップＳ５１０）、処理を終了する。
【０１１２】
図１０に示したカセット取り出しにかかる処理手順では、ステップＳ５０１で示したように回収カセットの取り出しの操作を受け付けた時に回収カセットの取り出しを行う権限があるか否かをチェックするようにしたが、本発明はこれに限定されるものではない。例えば、操作者のカードを読み取った際に当該操作者がカセットの取り出しを行う権限の有無を判定し、権限がないと判定された場合にはカセットの取り出しの操作を行えないようにメニュ等の制御を行うようにしてもよい。
【０１１３】
図１０に示したフローチャートに対応する処理はＰＯＳレジスタ３００で行うことを前提として説明したが、本発明はこれに限定されるものではない。例えば、硬貨釣銭機１００の操作表示部１１２によりカセット取出の操作を受け付けるようにして、硬貨釣銭機１００が回収ユニット４００と通信しながら同様の機能を実現するようにしてもよい。その場合にはステップＳ５０９の処理については硬貨釣銭機１００から直接、現金センタに送信するようにしてもよい。このようにすれば、ＰＯＳレジスタ３００の電源を落とした状態であってもカセットの取出処理を行うことができる。
【０１１４】
上述してきたように、本実施例では、ＰＯＳレジスタ３００の担当者のＰＯＳレジスタ３００からの回収指示操作に基づいて、硬貨釣銭機１００から硬貨を繰り出して回収ユニット４００の着脱可能な硬貨回収カセット４０３に収納し、紙幣釣銭機２００から紙幣を繰り出して回収ユニット４００の着脱可能な紙幣回収カセット４１３に収納し、現金センタへの運搬担当者のカセット取出指示操作に基づいて、硬貨回収カセット４０３及び紙幣回収カセット４１３の電磁ロックを解除することにより取出可能とするよう構成したので、小規模な商業施設の売上金を現金センタなどに輸送する場合に、人手を介在する際に生ずるミスや不正を効率良く抑制することができる。
【０１１５】
なお、上述の本実施例では、回収ユニット４００は、硬貨釣銭機１００、紙幣釣銭機２００と通信可能に接続される硬貨釣銭機１００、紙幣釣銭機２００とは別の装置として説明してきたが、本発明はそれに限定されるものではない。例えば、硬貨釣銭機１００の内部に、硬貨収納部１０６から繰り出した硬貨を収納する着脱可能な硬貨回収カセットを設けて、硬貨の回収指示を受け付けたならば硬貨収納部１０６から硬貨を該硬貨回収カセットに搬送して収納し、硬貨回収カセットの取出指示を受け付けたならば該硬貨回収カセットの電磁ロックを解除して取り出せる状態にするようにしてもよい。また、紙幣釣銭機２００についても同様に、紙幣釣銭機２００の内部に、紙幣収納部２０６から繰り出した紙幣を収納する着脱可能な紙幣回収カセットを設けて、紙幣の回収指示を受け付けたならば紙幣収納部２０６から紙幣を該紙幣回収カセットに搬送して収納し、紙幣回収カセットの取出指示を受け付けたならば該紙幣回収カセットの電磁ロックを解除して取り出せる状態にするようにしてもよい。また、例えば、回収ユニット４００を、硬貨を扱う装置と紙幣を扱う装置に分けていずれか一方のみ接続するようにしてもよい。また、例えば、硬貨釣銭機１００、紙幣釣銭機２００及び回収ユニット４００を一体とした硬貨及び紙幣の受け払いが可能な取り出し可能な回収カセットを有する釣銭機としてもよい。
【０１１６】
また、上述の本実施例では、回収ユニット４００は、回収する硬貨を収納する硬貨回収カセット４０３と、回収する紙幣を収納する紙幣回収カセット４１３を設けるものとしたが、本発明はこれに限定されるものではない。例えば、回収する硬貨及び紙幣の両方を収納可能な着脱可能な回収カセットを設けて、硬貨釣銭機１００から回収される硬貨及び紙幣釣銭機２００から回収される紙幣をいずれも当該回収カセットに収納するものとして、現金センタに輸送する場合には当該回収カセットを取り出して該回収カセットごと搬送するようにしてもよい。
【０１１７】
また、上述の本実施例では、硬貨釣銭機１００、紙幣釣銭機２００及び回収ユニット４００からの情報を現金センタに送信する場合にはＰＯＳレジスタ３００及びＰＯＳサーバ７００を経由して行う旨の説明を行ってきたが、本発明はこれに限定されるものではない。例えば、硬貨釣銭機１００、紙幣釣銭機２００及び回収ユニット４００から直接現金センタ等にデータ通信できるようにしてもよい。また、ＰＯＳレジスタ３００で、硬貨釣銭機１００、紙幣釣銭機２００及び回収ユニット４００から受け付けたデータの取り纏めを行った上でＰＯＳサーバ７００を経由して現金センタに送信するような場合についても、硬貨釣銭機１００で紙幣釣銭機２００及び回収ユニット４００から受け付けたデータの取り纏めを行った上で直接、現金センタに送信するようにしてもよい。
【０１１８】
また、上述の本実施例では、ＰＯＳレジスタ３００からら回収通知及びカセット取出通知を現金センタに送信して、これらの情報を現金センタで管理するようにしたが、本発明はこれに限定されるものではない。例えば、ＰＯＳレジスタ３００から回収通知及びカセット取出通知をＰＯＳサーバ７００または店舗内の他の管理装置で管理するものとして、現金センタで集計処理などを行う場合に現金センタからの情報取得要求に応じてデータ若しくは集計結果を返信できるようにしてもよく、データが管理される場所や装置を限定するものではない。また、例えば、硬貨回収カセット４０３及び紙幣回収カセット４１３にＩＣタグなどの記憶媒体を貼り付けて、回収ユニット４００に硬貨回収カセット４０３に貼りつけられたＩＣタグに情報を書き込むＩＣタグリーダライタと、紙幣回収カセット４１３に貼りつけられたＩＣタグに情報を書き込むＩＣタグリーダライタとを設けて、硬貨及び紙幣の硬貨回収カセット４０３及び紙幣回収カセット４１３への回収処理が行われたならば、硬貨回収カセット４０３及び紙幣回収カセット４１３に回収された硬貨又は紙幣の金種別枚数を硬貨回収カセット４０３及び紙幣回収カセット４１３に貼りつけられたＩＣタグに書き込み、現金センタで持ち込まれた硬貨回収カセット４０３及び紙幣回収カセット４１３から硬貨又は紙幣を取り出すときに硬貨回収カセット４０３及び紙幣回収カセット４１３に貼りつけられたＩＣタグを読み取って読み取った情報を現金センタに登録するようにしてもよい。
【０１１９】
また、上述の本実施例では、硬貨釣銭機１００及び紙幣釣銭機２００の下に硬貨及び紙幣を回収するための回収ユニット４００を配置するものとして説明してきたが、本発明はこれに限定されるものではない。例えば、硬貨釣銭機１００の前面の硬貨払出部１１６を接続部として装着可能で、硬貨払出部１１６に装着したならば、硬貨収納部１０６から繰り出した硬貨を硬貨払出部１１６を経由して搬送して収納することができる硬貨回収カセットを設けるようにしてもよい。紙幣釣銭機２００についても同様に、紙幣釣銭機２００の紙幣集積部２０７を取り外した部分に装着可能で、紙幣集積部２０７に装着したならば、紙幣収納部２０６から繰り出した紙幣を搬送して収納することができる紙幣回収カセットを設けるようにしてもよい。
【０１２０】
また、上述の実施例で図示した各構成は機能概略的なものであり、必ずしも物理的に図示の構成であることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０１２１】
以上のように、本発明に係る貨幣処理装置、貨幣処理システム及び貨幣処理方法は、小規模な商業施設の売上金を現金センタなどに輸送する場合に、人手を介在する際に生ずるミスや不正を効率良く抑制することに適している。
【符号の説明】
【０１２２】
１００  硬貨釣銭機
１０１  硬貨識別部
１０３  入金搬送部
１０４  分岐部
１０６  硬貨収納部
１０８  出金搬送部
１０９  回収ユニット分岐部
１１２  操作表示部
１１４  硬貨受入部
１１６  硬貨払出部
１２０、２２０  回収ユニット接続部
１３０、２３０、３３０、４３０  制御部
１３０ａ、２３０ａ  入出金処理部
１３０ｂ、２３０ｂ  補充処理部
１３０ｃ、２３０ｃ  回収処理部
１３２、２３２、３３２、４３２  通信部
１３４、２３４、３３４、４３４  記憶部
１３４ａ  硬貨在高データ
１３４ｂ、２３４ｂ  入出金履歴データ
２００  紙幣釣銭機
２０１  紙幣識別部
２０３ａ  周回搬送部
２０３ｂ  接続搬送部
２０４  出金リジェクト部
２０６  紙幣収納部
２０７  紙幣集積部
２１４  紙幣受入部
２１４ａ  紙幣受入口
２１６  紙幣払出部
２１６ａ  紙幣取出口
２３４ａ  紙幣在高データ
３００  ＰＯＳレジスタ
３０２  表示部
３０２ａ  追加表示部
３０４  操作部
３０６  プリンタ
３０８  バーコードリーダ
３１０  カードリーダ
３３０ａ  履歴情報管理部
３３０ｂ  補充回収処理部
３３０ｃ  商品決済処理部
３３４ａ、４３４ａ  在高データ
３３４ｂ  取引履歴データ
４００  回収ユニット
４０１  硬貨接続部
４０２  硬貨搬送部
４０３  硬貨回収カセット
４０４  硬貨カセットロック部
４１１  紙幣接続部
４１２  紙幣搬送部
４１３  紙幣回収カセット
４１４  紙幣カセットロック部
４３０ａ  硬貨回収処理部
４３０ｂ  紙幣入金処理部
４３０ｃ  紙幣回収処理部
４３０ｄ  カセット取出処理部
７００  ＰＯＳサーバ
【図１】
2016162246.tif 000003
【図２】
2016162246.tif 000004
【図３】
2016162246.tif 000005
【図４】
2016162246.tif 000006
【図５】
2016162246.tif 000007
【図６】
2016162246.tif 000008
【図７】
2016162246.tif 000009
【図８】
2016162246.tif 000010
【図９】
2016162246.tif 000011
【図１０】
2016162246.tif 000012